(57)【要約】【課題】閉じた状態の扉に裏側から外力が掛かってもラッチ爪が逃げ回動せずに閉扉状態が保持されるキャビネットを提供する。【手段】ラッチ爪１２は、本体１の係合穴２１に入り込む嵌入部１２ｅと、この嵌入部１２ｅから横向きに張り出した鉤部１２ｆとを備えており、鉤部１２ｆは係止面３０を有している。本体１の係合部１３は框７の前面板７ａに形成しており、係合穴２１とカバー２２とを有している。カバー２２はストッパー部２７を備えている。ラッチ爪１２の係止面３０とカバー２２のストッパー面２８とは、平面視で框７の前面板７ａに対している。（Ａ）に示す従来例に比べて係止面３０とストッパー面２８とが深く係合しており、このため、扉２に外向きの外力Ｆが作用してもラッチ爪１２が逃げ回動することはない。【選択図】図５
2008121321.tif 000002
【特許請求の範囲】
【請求項１】
前向きに開口した本体と、この本体の開口部を塞ぐために当該本体に水平回動自在に取り付けた扉と、前記扉を閉じた状態に保持するために当該扉に水平回動自在に取り付けたラッチ爪と、前記ラッチ爪が係合し得るように本体に設けた係合部と、前記ラッチ爪を係合部に係合した状態に付勢するばねとが備えられており、
前記係合部は板状であってラッチ爪が嵌脱する係合穴を形成している一方、前記ラッチ爪は閉扉状態において前記係合穴に入り込む嵌入部を備えており、前記嵌入部に平面視で横向きに張り出した鉤部を一体に設けており、この鉤部のうち閉扉状態において本体の外側に向いた係止面が係合部の内側のストッパー面に当たることによって扉が開き動不能に保持されるようになっており、更に、前記ラッチ爪の鉤部のうち扉の閉じ回動時に本体に向く面は、係合穴の内周縁に当たってラッチ爪が逃げ回動することを許容するために平面視で傾斜したガイド面になっている、
というキャビネットであって、
前記ラッチ爪における鉤部の係止面は、閉扉状態の平面視において鉤部の付け根に近い部分は本体の開口面から遠くて先端側の部分は本体の開口面に近くなっている一方、前記本体における係合部のストッパー面は、平面視で係合穴に近い部分が本体の奥側に向いて突出するように本体の開口面に対して非平行状に形成されている、
キャビネット。
【請求項２】
前記本体における係合部のストッパー面は、平面視において係合穴から遠ざかるに従って本体の開口面との間隔が徐々に狭まる傾斜面になっている、
請求項１に記載したキャビネット。
【請求項３】
前記本体の係合部は、本体の一部を構成する金属板製の框部と、この框部に装着した樹脂製のカバーとから成っており、前記カバーは前記係合穴の内周を覆う枠状部を備えており、この枠状部に、框部の内側に位置してラッチ爪の係止面が当り得るストッパー部が一体に形成されており、前記ストッパー部の後面が前記ストッパー面になっている、
請求項１又は２に記載したキャビネット。
【発明の詳細な説明】
【技術分野】
【０００１】
本願発明は、ラッチ装置を備えた水平回動扉方式キャビネットに関するものである。
【背景技術】
【０００２】
前向きに開口した本体に扉を水平回動自在に取り付けたキャビネット（開き戸式キャビネット）は、一般に、扉を閉じた状態に保持するラッチ装置を備えている。このラッチ装置は、扉に設けたラッチ爪と、本体の框部に形成した係合部とを備えている。本体の係合部には係合穴が形成されている一方、ラッチ爪は係合穴の内部に嵌まり込む嵌入部を備えており、この嵌入部に横向きの鉤部を突設している。そして、鉤部のうち閉扉状態（ロック姿勢）で本体の外側に向いた係止面を係合部の裏側のストッパー面に当てることにより、扉が開き動不能に保持されるようになっている。
【０００３】
また、ラッチ爪は係合部に係合する方向に回動し勝手となるようにばねで付勢されていると共に、ラッチ爪の鉤部のうち扉の閉じ作動時に本体に向く面は傾斜したガイド面になっており、ラッチ爪は、鉤部の傾斜面が係合穴の内周縁に当たってばねに抗して逃げ回動してから、扉を閉じ切るのと同時にばねによってロック姿勢に戻り回動する、といういわゆる蹴り込み係合するようになっている。また、ラッチ爪は扉に設けた引手の引き操作によってロック解除姿勢に回動するようになっている。
【０００４】
そして、本体の框部の前面板を係合部と成していることから、係合部のストッパー面は平面視で本体の開口面と平行に延びており（框の前面が本体の開口面になっている）、また、ラッチ爪における鉤部の係止面も閉扉状態において平面視で本願発明の開口面と平行な姿勢になっている（例えば特許文献１参照）。
【特許文献１】実用新案登録第２５４１３３０号公報
【発明の開示】
【発明が解決しようとする課題】
【０００５】
ところで、地震等の様々の原因によってキャビネットに振動が作用することがあり、このため、例えば本体の内部に収納した物品がずれ動いて扉の裏側に当たり、扉に対してこれを開かせる外力が作用することがある。或いは、本体の内部に収納した物品が崩れて扉の裏面に当たって、扉に外向きの外力が作用することもある。すると、ラッチ爪がロック解除姿勢に戻り回動して扉が開いてしまったり、或いは、ラッチ爪の鉤部が欠落したりするという問題があった。
【０００６】
本願発明は、この問題を解消することを主たる課題とするものである。
【課題を解決するための手段】
【０００７】
本願発明に係るキャビネットは、基本構成要素として、前向きに開口した本体と、この本体の開口部を塞ぐために当該本体に水平回動自在に取り付けた扉と、前記扉を閉じた状態に保持するために当該扉に水平回動自在に取り付けたラッチ爪と、前記ラッチ爪が係合し得るように本体に設けた係合部と、前記ラッチ爪を係合部に係合した状態に付勢するばねとが備えられている。
【０００８】
そして、前記係合部は板状であってラッチ爪が嵌脱する係合穴を形成している一方、前記ラッチ爪は閉扉状態において前記係合穴に入り込む嵌入部を備えており、前記嵌入部に平面視で横向きに張り出した鉤部を一体に設けており、この鉤部のうち閉扉状態において本体の外側に向いた係止面が係合部の内側のストッパー面に当たることによって扉が開き動不能に保持されるようになっており、更に、前記ラッチ爪の鉤部のうち扉の閉じ回動時に本体に向く面は、係合穴の内周縁に当たってラッチ爪が逃げ回動することを許容するために平面視で傾斜したガイド面になっている。
【０００９】
そして、請求項１の発明は、上記構成において、前記ラッチ爪における鉤部の係止面は、閉扉状態の平面視において鉤部の付け根に近い部分は本体の開口面から遠くて先端側の部分は本体の開口面に近くなっている一方、前記本体における係合部のストッパー面は、平面視で係合穴に近い部分が本体の奥側に向いて突出するように本体の開口面に対して非平行状に形成されている。
【００１０】
請求項２の発明は、請求項１において、前記本体における係合部のストッパー面は、平面視において係合穴から遠ざかるに従って本体の開口面との間隔が徐々に狭まる傾斜面になっている。
【００１１】
請求項３の発明は、請求項１又は２において、前記本体の係合部は、本体の一部を構成する金属板製の框部と、この框部に装着した樹脂製のカバーとから成っており、前記カバーは前記係合穴の内周を覆う枠状部を備えており、この枠状部に、框部の内側に位置してラッチ爪の係止面が当り得るストッパー部が一体に形成されており、前記ストッパー部の後面が前記ストッパー面になっている。なお、カバーは、縁部材又はエッジ部材、或いは保護部材と言い換えることも可能である。
【発明の効果】
【００１２】
扉を閉じて本体の前面に密着させた状態において、ロック姿勢のラッチ爪の係止面が係合部のストッパー面に密着している訳ではなく、ラッチ爪の係止面と係合部のストッパー面との間に若干の隙間（クリアランス）が空いている（そうでないと、ラッチ爪を係合部にスムースに係脱させることができない。）。
【００１３】
そして、従来のようにラッチ爪の係止面と係合部のストッパー面とが閉扉状態で本体の開口面と平行になっている状態では、本体の内側からの衝撃によって扉に開き方向の外力が作用すると、ラッチ爪の係止面が係合部のストッパー面から滑るような状態になってラッチ爪がロック解除姿勢に向けて逃げ回動する現象が見られ、これが扉の開き動の原因になっていた。また、ラッチ爪が逃げ回動するにおいて、当該ラッチ爪は、平面視で係止面を係合部のうち係合穴の内周縁に点当たりさせた状態で回動する傾向を呈しているが、このことにより、ラッチ爪の鉤部に大きなモーメントが作用して鉤部欠落の原因になっていると推測される。つまり、従来技術では、ラッチ爪と係合部との係合が浅く、そのために、内側からの衝撃又は振動による扉の開き動やラッチ爪の破損が生じていたと言える。
【００１４】
これに対して本願発明では、ラッチ爪における鉤部の係止面が傾斜している一方、係合部のストッパー面は平面視で係合穴に近い部分が本体の奥側に向いて突出しているため、閉じた状態の扉に開かせようとする外力が作用しても、閉扉状態でラッチ爪の係止面が係合部のストッパー面に密着するとラッチ爪の戻り回動を阻止するように作用することになり、その結果、扉の開きが防止される。端的に述べると、本願発明ではラッチ爪と係合部と係合が深くなっているため、衝撃や振動によって扉が不測に開くことを防止できるのである。
【００１５】
請求項２のようにラッチ爪の係止面と係合部のストッパー面とをともに傾斜面に形成すると、ラッチ爪がロック姿勢のままで扉にこれを開かせる外力が作用したときに、ラッチ爪の係止面と係合部のストッパー面とがその全体にわたって密着するため、ラッチ爪の鉤部に大きなモーメントが作用することを防止でき、その結果、ラッチ爪の破損も防止又は著しく抑制することができる利点がある。
【００１６】
ところで、係合部の係合穴は一般にプレス加工による打ち抜きで形成されているが、係合穴が露出した状態では、バリやエッジを除去して安全性を確保するための加工が必要であり、この加工に手間がかかるという問題がある。これに対して請求項３の構成を採用すると、係合穴の内周縁はカバーで覆われるためバリやエッジを除去する加工を施す必要がなく、また、蹴り込み係合時のラッチ爪の滑りもスムースになる利点や、カバーが補強部材の役割を兼用してラッチ爪の係合状態保持機能を一層向上できる利点がある。
【発明を実施するための最良の形態】
【００１７】
次に、本願発明の実施形態を図面に基づいて説明する。図１〜図５では第１実施形態を示し、図６では第２実施形態を示し、図７では第３〜第５実施形態を示している。以下、第１実施形態から順に説明していく。各実施形態はスチール製のキャビネットに具体化している。
【００１８】
(1).第１実施形態の概略
図１のうち（Ａ）はキャビネットの全体斜視図であり、（Ａ）に示すように、キャビネットは本体１と２枚の水平回動式扉２とを備えた両開き式（或いは観音開き式）になっている。本体１は、左右の外側板３と天板４と底板５と背板６とを有して前向きに開口している。天板４の前端部は中空状の上框７に連続しており、他方、底板５の前端部は中空状の下框８に連続している。
【００１９】
また、左右外側板３の内側にはある程度の間隔を空けて内側板９が配置されており、外側板３の前端と内側板９の全体とは一体に連続している。このため、本体１の左右側板部は中空状になっており、かつ、上下框７，８の前面と側板部の前面とで本体の前面が構成されている。本体１の内側板９の前後２箇所の部位には上下方向に並んだ溝穴１０の群が形成されており、溝穴１０に取り付けた金具で棚板１１を支持している。なお、外側板３の内面に補強部材を固着し、この補強部材に溝穴１０を形成しても良い。
【００２０】
左右の扉２は、上下框７，８の左右端部の箇所に取り付けたヒンジ装置により、本体２に対して水平回動自在に取り付けられている。扉２のうち自由端寄りの上下２箇所には、ラッチ装置を構成する樹脂製のラッチ爪１２が水平回動自在に配置されている一方、本体における上下框７，８の前面板７ａ，８ａの一部をラッチ爪１２が係脱する係合部１３と成している。
【００２１】
また、ラッチ爪１２は上下長手の支軸１４に相対回転不能に取り付けられており、支軸１４の一部は、扉２に設けた引手装置１５に入り込んでいる。引手装置１５は、扉２の外側から引き操作できる引手（図示せず）を備えており、ラッチ爪１２は、引手装置１５に内蔵したばね（図示せず）により、ラッチ爪１２が係合部１３に係合し勝手となる方向に付勢されている。図１のうち（Ｂ）は閉扉状態での（Ａ）のＢ−Ｂ視断面図であり、この図から明瞭に理解できるように、扉２は、外面板１６の内側に裏板１７を配置して全体として中空状に形成されている。勿論、裏板１７は必ずしも必要はない。
【００２２】
以下、ラッチ装置の詳細を図１（Ｂ）に加えて図２以下の図面も参照して説明する。図２は扉２の上部の部分的な背面図、図３のうち（Ａ）は係合部１３の分離斜視図、（Ｂ）は係合穴１３を構成するカバーの嵌め込み方法を示す一部破断平面図、図４は扉２の閉じに際してのラッチ爪１２の動きを示す断面図であって図１（Ｂ）のIV−IV視方向から見たもの、図５のうち（Ａ）は従来例の作用を示す平断面図、（Ｂ）は本実施形態の作用を示す平断面図である。
【００２３】
(2).ラッチ装置の詳細
ラッチ爪１２は扉２の上下に配置されているが、ラッチ装置は上下対象の形態なので、以下の説明では、上部のみを説明する。図１（Ｂ）に示すように、扉２を構成する外面板１６の四周は内側に折り曲げられて断面コ字状のチャンネル部（溝部）１６ａになっており、チャンネル部１６ａと裏板１７とが相まって扉２の全体が中空状になっている。そして、扉２の中空部のうち自由端寄りの上部には板金製の軸受け部材１９が配置されて外面板１６に溶接で固着されており、この軸受け部材１９にラッチ爪１２の軸受け部１２ａが回転可能に嵌め込まれている（なお、支軸１４の下端部は引手装置１５の部材に軸支されている。）。
【００２４】
ラッチ爪１２の基端部には上下のリング状部１２ｂが一体に形成されており、上部の筒部１２ｂに軸受け部１２ａが形成されている。また、ラッチ爪１２には、ロック姿勢において外面板１６の裏面に当たる回動規制部１２ｃが形成されている。更に、図２に一点鎖線で示すように、扉２を構成する裏板１７には、ラッチ爪１２を露出させるための切欠き２０が形成されている。
【００２５】
例えば図３（Ａ）に示すように、上框７は、前面板７ａとした水平片７ｂと上向きの奥リップ７ｃとを有して略中空状に形成されており、係合部１３は、上框７の前面板７ａに横長長方形の係合穴２１を形成することと、前面板７ａのうち係合穴２１の箇所に合成樹脂製のカバー２２を装着することとによって構成されている。
【００２６】
カバー２２は、係合穴２１の周囲の外面に重なるフランジ２３，２４，２５を有して全体として前後開口の枠状に形成されている（従って、正確には、カバー２２で囲われた内部が係合穴になる。）。更に、上下のフランジ２３には係合穴２１から上框７の内部に入り込む上下の枠板２６が形成されている。
【００２７】
上下枠板２６は、上框７の前面板７ａのうち係合穴２１よりも本体１の間口中心の側に位置した部分の裏側に延びる横向き延出部２６ａが形成されており、上下の横向き延出部２６には、上框７の前面板７ａの裏面にべったりと重なるストッパー部２７が一体に連続している。そして、ストッパー部２７の後面は、当該ストッパー部２７の付け根から先端に行くに従って上框７におけ前面板７ａとの間隔が狭まるように傾斜したストッパー面２８になっている。
【００２８】
左右のフランジ２４，２５のうち本体１の間口の中心側に位置したセンター寄りフランジ２４（すなわち、正面視でストッパー部２７と平行に延びるフランジ）は僅かの左右幅寸法になっている。また、センター寄りフランジ２４とストッパー部２７とは一体に連続している。係合穴２１を挟んでセンター寄りフランジ２４と反対側に位置したサイド寄りフランジ２５の左右幅寸法は、センター寄りフランジ２４の左右幅寸法よりも大きい寸法になっており、このサイド寄りフランジ２５に、係合穴２１の縁部に裏側から引っ掛かり係合する係止爪２９を一体に形成している。
【００２９】
カバー２２を上框７の前面板７ａに装着するに際しては、図３（Ｂ）に示すように、平面視で斜めの姿勢にして先に枠板２６の横向き延長部２６ａを係合穴２１から上框７の内部に嵌め入れることにより、カバー２２のセンター寄りフランジ２４と横向き延長部２６ａとで前面板７ａの係合穴２１の一方の縁部を挟み、次いで、サイド寄りフランジ２５を押して係止爪２９を係合穴２１の内側部に係合させたら良い。
【００３０】
ラッチ爪１２は基本的には従来と同じ形態であり、図４に示すように、閉扉状態において本体１の外側に位置する基部１２ｄと、基部１２ｄに一体に連続すると共に閉扉状態で係合穴２１の内部に入り込む嵌入部１２ｅとを備えており、嵌入部１２ｅに、閉扉状態においてカバー２２におけるストッパー部２７の裏側に位置する横向きの鉤部１２ｆが一体に形成されている。
【００３１】
鉤部１２ｆのうち閉扉状態（ロック姿勢）においてストッパー部２７に向いた面は、平面視でストッパー部２７のストッパー面２８と同じ方向に同じ角度で傾斜した傾斜状の係止面２９になっている。また、鉤部１２ｆのうち扉２の閉じ回動時に本体１に向く面は、先端に行くに従って嵌入部１２ｅに近づく傾斜状のガイド面３１になっている。なお、ガイド面３１は全体として円弧状に湾曲していても良い。
【００３２】
(3).動きの説明
ラッチ装置の働きは従来と同様であり、扉２の前面に当てて押すと、ラッチ爪１２は、図４（Ｂ）に示すように、ガイド面３１がカバー２２の内側部に当たることでいったんロック解除姿勢の方向に向けて逃げ回動し、次いで、扉２が閉じ切られると、ラッチ爪１２はカバー２２との当接が解除されてばねによってロック姿勢に向けて回動し、そして、図４（Ｃ）に示すようにロック姿勢になり、これによって扉２は閉じた状態に保持される。
【００３３】
扉２を完全に閉じ切った状態では、ラッチ爪１２の係止面３０とカバー２２のストッパー面２８との間には若干の隙間３２が空いている（扉２の周縁の背面又は本体１の前面にはゴム製のクッションを設けていることが多く、この場合は、クッションの弾性力によって扉２は開き方向に軽く押されているため、ラッチ爪１２の係止面３０はカバー２２のストッパー面２８に密着している。）。
【００３４】
さて、例えば本体の内部に収納した物品が崩れて扉２の裏面に当たるというような何らかの理由により、閉じた状態の扉２に裏側から外力Ｆが作用することがある。
【００３５】
そして、図５（Ａ）に比較例として示すように、従来のように扉２を閉じ切った状態でラッチ爪１２′の係止面３０′と係合部１３′のストッパー面とが本体１の開口面（換言すると上框７の前面）と平行になっていると、ストッパー部２７の内縁部２７ａ′がラッチ爪１２′の押圧力によって僅かながら撓み変形し、すると、太い実線で示すように、ラッチ爪１２′の係止面３０′がストッパー部２７′から逃げやすくなり、これをきっかけとしてラッチ爪１２′がロック解除姿勢に戻り回動してしまう現象が見られた。
【００３６】
これに対して本実施形態では、ラッチ爪１２の係止面３０と係合部１３のストッパー面２８とが傾斜しているため、換言すると、係止面３０及びストッパー面２８が平面視で本体１の前面と平行な線に対してある程度の角度θで交叉しているため、扉２を開かせようとする前向きの外力が作用してもラッチ爪１２と係合部１３とは噛み合った状態が保持され、このため、扉２が不測に開くことを防止できるのである。
【００３７】
また、従来例では、図５（Ａ）に示すように、ラッチ爪１２が逃げ回動するに際して鉤部１２ｆ′の先端部がストッパー部２７′に強く当接することがあるため、鉤部１２ｆ′に大きなモーメントが作用することがあり、その結果、鉤部１２ｆ′がその付け根から破損する現象が見られ、これを防止するにはラッチ爪１２′を厚肉化せねばならなかった。
【００３８】
これに対して本実施形態では、扉２に前向きの外力Ｆが作用してもラッチ爪１２は逃げ回動しないため係止面３０とストッパー面２８との密着状態は確実に保持されることになり、このためラッチ爪１２の鉤部１２ｆに大きなモーメントが作用することを阻止でき、その結果、ラッチ爪１２は過度に厚くすることなく必要な強度・耐久性を確保できるのである。なお、カバー２２はねじ止め等によって上框７に装着することも可能であるが、本実施形態の構成を採用すると、ストッパー部２７を一体に形成したものでありながらワンタッチで装着できる利点がある。
【００３９】
なお、扉２を勢い良く閉めると、衝撃と振動のためにラッチ爪１２に踊り現象が生じて扉２が開き状態に戻ってしまうことがあるが、本願発明はこの点に対しても有効であると推測される。
【００４０】
すなわち、まず従来例について述べると、ラッチ爪１２がいったんロック姿勢になってからロック解除姿勢に戻るに際して、従来例では、図５（Ａ）に細い実線で示すように、ラッチ爪１２′が逃げ回動するとすぐに係止面３０′が係合部２７′から離反する傾向を呈したり、或いは、ラッチ爪１２，１２′の係止面３０，３０′がストッパー部２７，２７′に当たっていても、ラッチ爪１２′とストッパー面２８′との間に滑りが発生してラッチ爪１２′がそのまま逃げ回動しやすくなると考えられる。
【００４１】
これに対して本願発明では、図５（Ｂ）に細い実線で示すように、ラッチ爪１２が逃げ回動しても係合部２７から離反しにくく、しかも、係止面３０がストッパー面２８に当たった状態ではラッチ爪１２は逃げ回動しにくい状態になっており、このため、ラッチ爪１２の踊り現象を抑制して扉２の確実な閉止に貢献できると解される。
【００４２】
(3).第２〜第５実施形態
図６に示す第２実施形態では、上框７の前面板７ａを裏側に折り返すことでストッパー部２７を形成している。また、係合穴２１の他の内周縁は裏側に折り返している。
【００４３】
図７（Ａ）に示す第３実施形態では、係合部１３にカバー２２を設けた場合において、ラッチ爪１２の係止面２９と係合部１３のストッパー面２８とを平面視で円弧状（湾曲状）に形成している。このような形態も請求項に記載した「傾斜」に包含される。図７（Ｂ）に示す第４実施形態では、上框７の前面板７ａのうちストッパー部２７を裏側に折り曲げることにより、平面視で傾斜したストッパー面２８を形成している。
【００４４】
図７（Ｃ）に示す第５実施形態では、上框７の前面板７ａの一部をストッパー部２７と成した場合において、ストッパー部２７の内周縁を裏側に折り返して内向き突起２７ａを形成することにより、ストッパー面２８を段違い状に形成している一方、ラッチ爪１２における係止面３０もストッパー面２８に対応して段違い状に形成している。この実施形態では、係止面２８は、鉤部１２ｆの付け根寄りのものよりも先端側のものが本体１の開口面に寄っている。
【００４５】
(4).その他
本願発明は上記の実施形態の他にも様々に具体化できる。例えば係合部は必ずしも本体の框部を利用する必要性はなく、框とは異なる専用の部材を本体に固着するといったことも可能である。係合部に樹脂製のカバーを設ける場合、ストッパー部となる部分のみに設けることも可能である。
【００４６】
また、扉は片開き式でも良いし、ラッチ爪は扉の上部のみ又は下部のみに設けることも可能である。更に、キャビネットには、水平回動式扉で覆われる収納部の他に、引き出しやオープン式収納部を併設することも可能である（すなわち、少なくとも一部に水平回動式扉で塞がれる収納部が存在したら良い。）。更に、キャビネットの本体及び扉は木製や樹脂製とすることも可能である。
【図面の簡単な説明】
【００４７】
【図１】（Ａ）はキャビネットの斜視図、（Ｂ）は閉扉状態での（Ａ）のＢ−Ｂ視断面図である。
【図２】扉２上部の部分的な背面図である。
【図３】（Ａ）は係合部の分離斜視図、（Ｂ）はカバーの嵌め込み方法を示す一部破断平面図である。
【図４】閉扉動に際してのラッチ爪の動きを示す断面図であって図１（Ｂ）のIV−IV視方向から見たものである。
【図５】（Ａ）は従来例の作用を示す平断面図、（Ｂ）は本実施形態の作用を示す平断面図である。
【図６】第２実施形態を示す図である。
【図７】第３〜第５実施形態を示す図である。
【符号の説明】
【００４８】
１  本体
２  扉
７，８  框
１２  ラッチ爪
１２ｅ  嵌入部
１２ｆ  鉤部
１３  係合部
２１  係合穴
２２  カバー
２７  ストッパー部
２８  ストッパー面
３０  係止面
【図１】
2008121321.tif 000003
【図２】
2008121321.tif 000004
【図３】
2008121321.tif 000005
【図４】
2008121321.tif 000006
【図５】
2008121321.tif 000007
【図６】
2008121321.tif 000008
【図７】
2008121321.tif 000009